【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
センシング領域上の化学物質をセンシングするセンサー装置であって、
第１波長帯域の光の照射により第２波長帯域の光を発光する発光層を有し、前記発光層に前記センシング領域が設けられる基板と、
前記発光層から生じる第２波長帯域の光を受光して、前記センシング領域における電荷密度に応じた強度で前記センシング領域の像を視覚化する視覚化部と、
を備える前記センサー装置において、
前記発光層は、ＧａＩｎＡｓＰ半導体であることを特徴とするセンサー装置。
【請求項２】
前記発光層は、ＺｒＯ２膜またはＨｆＯ２膜またはそれらの複合膜で覆われていることを特徴とする
請求項１記載のセンサー装置。
【請求項３】
前記第１波長帯域の光および前記第２波長帯域の光は、赤外光であることを特徴とする
請求項１または２に記載のセンサー装置。
【請求項４】
前記基板は、前記第１波長帯域の光および前記第２波長帯域の光に対する透過性を有することを特徴とする
請求項１から３のいずれか一項に記載のセンサー装置。
【請求項５】
前記化学物質は、ｐＨ溶液であることを特徴とする
請求項１から４のいずれか一項に記載のセンサー装置。
【請求項６】
前記化学物質は、生体分子であることを特徴とする
請求項１から５のいずれか一項に記載のセンサー装置。
【請求項７】
前記生体分子は、ＤＮＡまたは細胞であることを特徴とする
請求項６記載のセンサー装置。
【請求項８】
前記視覚化部は、前記センシング領域の像を撮像する撮像部と、撮像された前記像を表示する表示部とを備えることを特徴とする
請求項１から７のいずれか一項に記載のセンサー装置。
【請求項９】
請求項１から８のいずれか一項に記載のセンサー装置を備えることを特徴とする生体分子視覚化装置。
【請求項１０】
前記基板は、第１波長帯域の光および第２波長帯域の光を透過し、
前記基板が先端に設けられ、内部に前記第１波長帯域の光の光源と、前記視覚化部とを収容する管状部材を備える
請求項９記載の生体分子視覚化装置。
【請求項１１】
前記基板は、第１波長帯域の光および第２波長帯域の光を透過し、
前記基板が先端に設けられ、前記第１波長帯域の光を導光するとともに、前記センシング領域の像を伝送するイメージファイバを内部に収容する管状部材を備える
請求項９記載の生体分子視覚化装置。
【手続補正２】
【補正対象書類名】明細書
【補正対象項目名】発明の名称
【補正方法】変更
【補正の内容】
【発明の名称】センサー装置、生体分子視覚化装置
【手続補正３】
【補正対象書類名】明細書
【補正対象項目名】０００１
【補正方法】変更
【補正の内容】
【０００１】
本発明は、センサー装置、生体分子視覚化装置に関するものである。
【手続補正４】
【補正対象書類名】明細書
【補正対象項目名】０００６
【補正方法】変更
【補正の内容】
【０００６】
本発明は、以上のような点を考慮してなされたもので、コストアップを抑えつつ高い空間分解能のセンシングが可能なセンサー装置、生体分子視覚化装置を提供することを目的とする。
【手続補正５】
【補正対象書類名】明細書
【補正対象項目名】０００７
【補正方法】変更
【補正の内容】
【０００７】
本発明の第１の態様に従えば、センシング領域上の化学物質をセンシングするセンサー装置であって、第１波長帯域の光の照射により第２波長帯域の光を発光する発光層を有し、前記発光層に前記センシング領域が設けられる基板と、前記発光層から生じる第２波長帯域の光を受光して、前記センシング領域における電荷密度に応じた強度で前記センシング領域の像を視覚化する視覚化部と、を備える前記センサー装置において、前記発光層は、ＧａＩｎＡｓＰ半導体であることを特徴とするセンサー装置が提供される。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】変更
【補正の内容】
【００１２】
本発明の第２の態様に従えば、第１の態様において、前記発光層は、ＺｒＯ２膜またはＨｆＯ２膜またはそれらの複合膜で覆われているセンサー装置が提供される。
【手続補正１１】
【補正対象書類名】明細書
【補正対象項目名】００１３
【補正方法】変更
【補正の内容】
【００１３】
本発明の第３の態様に従えば、第１または第６の態様において、前記第１波長帯域の光および前記第２波長帯域の光は、赤外光であるセンサー装置が提供される。
【手続補正１２】
【補正対象書類名】明細書
【補正対象項目名】００１４
【補正方法】変更
【補正の内容】
【００１４】
本発明の第４の態様に従えば、第１から第３のいずれかの態様において、前記基板は、前記第１波長帯域の光および前記第２波長帯域の光に対する透過性を有するセンサー装置が提供される。
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】変更
【補正の内容】
【００１７】
本発明の第５の態様に従えば、第１から第４のいずれかの態様において、前記化学物質は、ｐＨ溶液であるセンサー装置が提供される。
【手続補正１６】
【補正対象書類名】明細書
【補正対象項目名】００１８
【補正方法】変更
【補正の内容】
【００１８】
本発明の第６の態様に従えば、第１から第５のいずれかの態様において、前記化学物質は、生体分子であるセンサー装置が提供される。
【手続補正１７】
【補正対象書類名】明細書
【補正対象項目名】００１９
【補正方法】変更
【補正の内容】
【００１９】
本発明の第７の態様に従えば、第１から第６のいずれかの態様において、前記生体分子は、ＤＮＡまたは細胞であるセンサー装置が提供される。
【手続補正１８】
【補正対象書類名】明細書
【補正対象項目名】００２０
【補正方法】変更
【補正の内容】
【００２０】
本発明の第８の態様に従えば、第１から第７のいずれかの態様において、前記視覚化部は、前記センシング領域の像を撮像する撮像部と、撮像された前記像を表示する表示部とを備えるセンサー装置が提供される。
【手続補正１９】
【補正対象書類名】明細書
【補正対象項目名】００２１
【補正方法】変更
【補正の内容】
【００２１】
本発明の第９の態様に従えば、第１から第８のいずれかの態様のセンサー装置を備えることを特徴とする生体分子視覚化装置が提供される。
【手続補正２０】
【補正対象書類名】明細書
【補正対象項目名】００２２
【補正方法】変更
【補正の内容】
【００２２】
本発明の第１０の態様に従えば、第９の態様において、前記基板は、第１波長帯域の光および第２波長帯域の光を透過し、前記基板が先端に設けられ、内部に前記第１波長帯域の光の光源と、前記視覚化部とを収容する管状部材を備える生体分子視覚化装置が提供される。
【手続補正２１】
【補正対象書類名】明細書
【補正対象項目名】００２３
【補正方法】変更
【補正の内容】
【００２３】
本発明の第１１の態様に従えば、第９の態様において、前記基板は、第１波長帯域の光および第２波長帯域の光を透過し、前記基板が先端に設けられ、前記第１波長帯域の光を導光するとともに、前記センシング領域の像を伝送するイメージファイバを内部に収容する管状部材を備える生体分子視覚化装置が提供される。
【手続補正２２】
【補正対象書類名】明細書
【補正対象項目名】００２４
【補正方法】削除
【補正の内容】